(57)【要約】【課題】バッテリによる電力供給を必要とせずに筐体移動の有無を検知する手段を備えることにより、プロジェクタ装置の低コスト化を実現する。【解決手段】筐体部１と、筐体部を支持するための脚部１１と、筐体部に設けられ脚部を入出自在かつ回転可能に収納可能な脚部収納部１２と、プロジェクタ装置の動作命令を一括する制御部１０２と、脚部収納部に設けられた第１電極部１０５と、脚部に設けられ脚部が脚部収納部に収納された時に第１電極部と通電する第２電極部１０６と、脚部が脚部収納部から入出する毎に脚部を所定角度だけ回転させ脚部が脚部収納部に収納された際に第１電極部と第２電極部とが通電するように脚部を案内すると共に脚部が所定角度回転することにより第１電極部と第２電極部との間の通電状態を変化させる脚部案内機構ｂ、ｃと、第１電極部と第２電極部との間の通電状態の変化の有無を判定する通電電極判定部１０７とを備える。【選択図】図３
2012088541.tif 000002
【特許請求の範囲】
【請求項１】
映像をスクリーンに投影するためのプロジェクタ装置であって、
筐体部と、
前記筐体部を支持するための脚部と、
前記筐体部に設けられ、前記脚部を入出自在かつ回転可能に収納可能な脚部収納部と、
プロジェクタ装置の動作命令を一括する制御部と、
前記脚部収納部に設けられた第１電極部と、
前記脚部に設けられ、前記脚部が前記脚部収納部に収納された時に前記第１電極部と通電する第２電極部と、
前記脚部が前記脚部収納部から入出する毎に前記脚部を所定角度だけ回転させ、前記脚部が前記脚部収納部に収納された際に前記第１電極部と前記第２電極部とが通電するように前記脚部を案内すると共に、前記脚部が所定角度回転することにより前記第１電極部と前記第２電極部との間の通電状態を変化させる脚部案内機構と、
前記第１電極部と前記第２電極部との間の通電状態の変化の有無を判定する通電電極判定部と、
を備えることを特徴とするプロジェクタ装置。
【請求項２】
請求項１記載のプロジェクタ装置であって、
前記制御部によるプロジェクタ装置の動作設定情報および前記通電電極判定部により判定された前記第１電極部と前記第２電極部との通電状態を記録するメモリ部を更に備え、
前記通電電極判定部は、プロジェクタ装置の通電開始時に現在の前記第１電極部と前記第２電極部との間の通電状態を判定し、判定された通電開始時の前記第１電極部と前記第２電極部との通電状態と前記メモリ部に記録されたプロジェクタ装置の前回通電時の前記第１電極部と前記第２電極部との通電状態との比較をおこない、
前記通電電極判定部が通電開始時の前記第１電極部と前記第２電極部との通電状態と前記メモリ部に記録された前記第１電極部と前記第２電極部との通電状態の間に変化がないと判定した場合には、前記制御部は前記メモリ部に記録されたプロジェクタ装置の前回通電時の動作設定情報に従ってプロジェクタ装置を動作させ、
前記通電電極判定部が通電時の前記第１電極部と前記第２電極部との通電状態と前記メモリ部に記録された前記第１電極部と前記第２電極部との通電状態の間に変化があると判定した場合には、前記制御部は所定の初期状態によってプロジェクタ装置を動作させた後、前記メモリ部は第１電極部と前記第２電極部との間の通電状態を記録する
ことを特徴とするプロジェクタ装置。
【請求項３】
請求項１または２記載のプロジェクタ装置であって、
前記脚部と前記脚部収納部との間に設けられた弾性部材を更に備え、
前記脚部が前記脚部収納部方向に押圧された時、前記弾性部材は前記脚部を前記脚部収納部の内部に収納するように圧縮し、
前記脚部の押圧が解除された時、前記弾性部材は前記脚部を前記脚部収納部の外側に押し出すように伸長する
ことを特徴とするプロジェクタ装置。
【請求項４】
請求項１から３のいずれか１項記載のプロジェクタ装置であって、
前記脚部案内機構は、
前記脚部の側壁面に設けられた係合部材と、
前記脚部の側壁面との接続面である前記脚部収納部の内壁面に設けられ、前記係合部材と係合するとともに前記係合部材の移動を案内するガイドレールと
を備え、
前記係合部材が前記ガイドレールに沿って移動することにより、前記脚部が所定角度だけ回転しつつ前記脚部収納部から所定の幅だけ入出されるように構成された
ことを特徴とするプロジェクタ装置。
【請求項５】
請求項４記載のプロジェクタ装置であって、前記係合部材の移動を一方向だけに許容するための仕切り弁を前記ガイドレール内に設けたことを特徴とするプロジェクタ装置。
【発明の詳細な説明】
【技術分野】
【０００１】
本発明は、プロジェクタ装置に係り、非通電時におけるプロジェクタ装置の筐体部の物理的移動を検知することにより、動作設定の選択を行うことができるプロジェクタ装置に関する。
【背景技術】
【０００２】
近年、画像投射時の設定値を保存してユーザの設定の手間を省略するプロジェクタ装置が提案されている。しかし、実際のプロジェクタ装置の利用において、その使用場面は多岐にわたり、使用箇所がある特定の一箇所であるとは限らない。このため、保存しておいた設定値が、必ずしも使用する際の適切な設定値であるとは限らないという問題があった。
【０００３】
上述の問題に対し、特許文献１に記載の従来のプロジェクタ装置では、加速度センサとバックアップ用バッテリを用いて非通電時の筐体部の移動を検知し、画像投影の際の諸設定の選択を行う技術が提案されている。
【先行技術文献】
【特許文献】
【０００４】
【特許文献１】特開２００５−１５６７４７号公報
【特許文献２】特開２００４−２５３３６８号公報
【発明の概要】
【発明が解決しようとする課題】
【０００５】
しかしながら、上記従来のプロジェクタ装置では、筐体部の移動を検知するために加速度センサを用いている関係から、電源オフ時の加速度センサからの加速度情報をメモリに記録するために、バッテリを搭載する必要があることから、コストの面で課題があった。
【０００６】
そこで、本発明のプロジェクタ装置は、バッテリによる電力供給を必要とせずに筐体部の移動の有無を検知する手段を備えることによる低コスト化の実現を目的とする。
【課題を解決するための手段】
【０００７】
上記の課題を解決するために、本発明のプロジェクタ装置は、筐体部（１）と、筐体部（１）を支持するための脚部（１１）と、筐体部（１）に設けられ脚部（１１）を入出自在かつ回転可能に収納可能な脚部収納部（１２）と、プロジェクタ装置の動作命令を一括する制御部（１０２）と、脚部収納部（１２）に設けられた第１電極部（１０５）と、脚部（１１）に設けられ脚部（１１）が脚部収納部（１２）に収納された時に第１電極部（１０５）と通電する第２電極部（１０６）と、脚部（１１）が脚部収納部（１２）から入出する毎に脚部（１１）を所定角度だけ回転させ脚部（１１）が脚部収納部（１２）に収納された際に第１電極部（１０５）と第２電極部（１０６）とが通電するように脚部（１１）を案内すると共に脚部（１１）が所定角度回転することにより第１電極部（１０５）と第２電極部（１０６）との間の通電状態を変化させる脚部案内機構（ｂ、ｃ）と、第１電極部（１０５）と第２電極部（１０６）との間の通電状態の変化の有無を判定する通電電極判定部（１０７）と、を備える。
【発明の効果】
【０００８】
本発明のプロジェクタ装置によれば、プロジェクタ装置の筐体部（脚部収納部）と脚部との両方に電極部を設けることで、プロジェクタ装置の物理的移動の有無を検知することができる。また、その際に、バッテリや加速度センサの搭載を必要としないので、低コストでの移動検知を実現できるという効果を奏する。
【図面の簡単な説明】
【０００９】
【図１】図１は、実施例に係るプロジェクタ装置の全体の形状および構成を示す斜視図である。
【図２】図２は、実施例に係るプロジェクタ装置の脚部の可動の仕組みを示す部分断面図である。
【図３】図３は、実施例に係るプロジェクタ装置のシステム構成を示すブロック図である。
【図４】図４は、実施例に係るプロジェクタ装置の脚部の形状および構成を示す斜視図である。
【図５】図５は、実施例に係るプロジェクタ装置の脚部収納部内のガイドレールを示す（ａ）透視図および（ｂ）断面図である。
【図６】図６は、実施例に係るプロジェクタ装置の脚部および脚部収納部の構造を示す透視図である。
【図７】図７は、実施例に係るプロジェクタ装置の電極端子構成例を示す平面図である。
【図８】図８は、実施例に係るプロジェクタ装置の脚部収納部内のガイドレールを示す部分展開図である。
【図９】図９は、実施例に係るプロジェクタ装置の電極端子構成例を示す平面図である。
【図１０】図１０は、実施例に係るプロジェクタ装置の動作を説明するためのフローチャートである。
【発明を実施するための形態】
【００１０】
以下、本発明の実施の形態について、図面を参照して詳細に説明する。
【実施例】
【００１１】
実施例に係るプロジェクタ装置は、図１に示すように、筐体部１の底面側に、筐体部１を支持するための脚部１１を備える。
【００１２】
脚部１１は、図２に示すように、上側設置面にスプリングａを有し、筐体部１に設けられた脚部収納部１２に収納することができる。スプリングａは、ユーザが筐体部１を持ち上げることで、図２（ａ）の状態から図２（ｂ）の状態に伸張し、脚部１１を脚部収納部１２の外側へ押し出す。
【００１３】
次に、実施例に係るプロジェクタ装置のシステム構成を図３のブロック図を用いて説明する。
【００１４】
実施例に係るプロジェクタ装置は、筐体部１の内部に、電源部１０１と、中央制御装置（ＣＰＵ）である制御部１０２と、電源スイッチ部１０３と、メモリ部１０４と、筐体電極部（第１電極部）１０５と、通電電極判定部１０７と、設定選択部１０８とを備え、また、脚部１１に脚部電極部（第２電極部）１０６を備える。
【００１５】
電源部１０１は、家庭用電源コンセントから電力供給を受けることを可能とする。電源部１０１による電力取得方法としては、接触型の有線の電源プラグを用いても良いし、非接触型の無線伝送を用いても良い。制御部１０２は、プロジェクタ装置の動作命令を一括する。電源スイッチ部１０３は、プロジェクタ装置を動作可能な状態に切り替える。筐体電極部１０５は、脚部収納部１２に設けられ、制御部からの命令により電源部からの電流を受け脚部１１へ電流を流すための筐体電極端子を複数個備える。脚部電極部１０６は、脚部１１に設けられ、筐体電極部１０５からの電流を受けるための脚部電極端子を複数個備える。通電電極判定部１０７は、筐体電極部１０５の筐体電極端子と脚部電極部１０６の脚部電極端子との通電状況を分析する。設定選択部１０８は、通電電極判定部１０７の分析結果に応じて、プロジェクタ装置の動作設定を決定する。メモリ部１０４は、プロジェクタ装置の動作設定値および筐体電極部１０５の筐体電極端子と脚部電極部１０６の脚部電極端子との通電状況を記憶する。
【００１６】
次に、実施例に係るプロジェクタ装置の機構部分について説明する。
【００１７】
図４に示すように、脚部電極部１０６は、脚部１１の上部に設けられた脚部電極端子１１ａ、１１ｂを備える。また、図４に示すように、脚部１１の側面部には、ガイドｂが設けられる。なお、本実施形態では、ガイドｂを１つだけ設けているが、これに限定されることなく、ガイドｂを２つまたはそれ以上設けてもよい。
【００１８】
図５（ａ）に示すように、脚部収納部１２には、脚部１１との接続面となる収納部内側のｍからｎの範囲にかけて、ガイドレールｃが掘り込まれている。図５（ｂ）は、脚部収納部１２の断面図であり、ガイドレールｃを水平方向から見た様子を表す。
【００１９】
脚部１１が脚部収納部１２に収められている様子を図６に示す。このように、脚部１１のガイドｂと脚部収納部１２のガイドレールｃで脚部案内機構を構成し、ガイドｂがジグザグ状のガイドレールｃの中を通過することにより、脚部１１の可動域が設定される。本実施形態では、脚部１１にガイドｂを設け、脚部収納部１２にガイドレールｃを設けているが、脚部収納部１２にガイドｂを設け、脚部１１にガイドレールｃを設けるようにしてもよい。
【００２０】
なお、図６中に示すように、脚部１１上面の脚部電極部１０６には複数の脚部電極端子が設けられ、脚部収納部１２上面内側の筐体電極部１０５には複数の筐体電極端子が設けらる。例えば、脚部電極部１０６にはの２つの脚部電極端子１１ａ、１１ｂが設けられ、筐体電極部には５つの筐体電極端子１２ａ、１２ｂ、１２ｃ、１２ｄ、１２ｅが設けられる。脚部電極部１０６の脚部電極端子１１ａ、１１ｂと筐体電極部１０５の筐体電極端子１２ａ、１２ｂ、１２ｃ、１２ｄ、１２ｅとは、図２（ａ）に示すように脚部１１が脚部収納部１２に完全に収められている状態の時に、それぞれ一定のパターンに従い接触する。脚部電極部１０６および筐体電極部１０５を上から見た様子を図７に示す。この場合の脚部電極部１０６の脚部電極端子１１ａ、１１ｂと筐体電極部１０５の筐体電極端子１２ａ、１２ｂ、１２ｃ、１２ｄ、１２ｅとの接触パターンは５通りとなる。すなわち、脚部電極部１０６の脚部電極端子１１ａ、１１ｂと筐体電極部１０５の筐体電極端子１２ａ、１２ｂ、１２ｃ、１２ｄ、１２ｅとの接触パターンは、「１１ａ＝１２ａ，１１ｂ＝１２ｄ」、「１１ａ＝１２ｂ，１１ｂ＝１２ｅ」、「１１ａ＝１２ｃ，１１ｂ＝１２ａ」、「１１ａ＝１２ｄ，１１ｂ＝１２ｂ」、「１１ａ＝１２ｅ，１１ｂ＝１２ｃ」となる。
【００２１】
ユーザが筐体部１を持ち上げると、スプリングａが伸張し、脚部１１のガイドｂが図８（ａ）のｏ地点からｐ地点へと移動する。これにより、脚部１１は水平方向に回転しながら脚部収納部１２の外側方向に移動する。ユーザが筐体部１を下に置くと、脚部１１のガイドｂが図８（ａ）のｐ地点からｑ地点へと移動する。これにより、脚部１１は脚部収納部１２奥に収められ、脚部電極部１０６の脚部電極端子と筐体電極部１０５の筐体電極端子とが接する。再度ユーザが筐体部１を持ち上げると、脚部１１のガイドｂが図８（ａ）のｑ地点からｒ地点へと移動する。これにより、再び脚部１１が水平方向に回転しながら脚部収納部１２の外側方向に移動する。このｏ地点からｐ地点、ｐ地点からｑ地点、ｑ地点からｒ地点への脚部１１のガイドｂの移動にあたり、ガイドｂの進行方向に対し、ガイドレールの幅員を例えば入口ｘは広く、出口ｙは狭く設定することで、想定している進行方向に進行しやすくする。また、ｏ、ｐ、ｑ、ｒの各地点のガイドレールｃの傾斜角度を進行方向向きに傾けることにより、想定している進行方向に脚部１１のガイドｂが進行しやすいようにする。なお、脚部１１のガイドｂの移動精度を上げるために、脚部収納部１２のガイドレールｃ内に、図８（ｂ）に示すような進行方向のみに開放動作をする仕切り弁ｓを設けても良い。
【００２２】
脚部１１の水平方向回転角度は、筐体電極部１０５に搭載する筐体電極端子数に応じ、脚部収納部１２のガイドレールｃの傾斜角度を調整することにより決定する。例えば、図７（ａ）に示すように、筐体電極部１０５の筐体電極端子数が５個である場合、１回あたりの水平方向の回転角度を７２度とする。また、例えば、図９（ａ）に示すように、筐体電極部１０５の筐体電極端子数が６個である場合、１回あたりの水平方向の回転角度を６０度とする。これにより、図７（ｂ）および図９（ｂ）に示す脚部電極部１０６の脚部電極端子１１ａ、１１ｂは、それぞれユーザによる筐体部１の持ち上げ動作前と後とでは別の筐体電極部１０５の筐体電極端子と接触することになる。
【００２３】
次に、実施例に係るプロジェクタ装置の動作を図１０の処理フローを用いて説明する。
【００２４】
まず、外部から電源部１０１に入電されると、プロジェクタ装置が通電状態となる（Ｓ１０１）。例えば、プラグケーブルを介し家庭用電源コンセントからの電力供給を受けると、プロジェクタ装置が通電状態となる。
【００２５】
ユーザの入力操作により、電源スイッチ部１０３がオン状態となる（Ｓ１０２）。例えば、タクトスイッチやタッチセンサやリモコンからの赤外線入力などによりプロジェクタ装置の電源スイッチをオン状態に切り替える。
【００２６】
次に、筐体電極部１０５は電源部１０１より電力供給を受け、脚部電極部１０６へと電流を流す（Ｓ１０３）。図７および図９は、筐体電極部１０５の筐体電極端子面と脚部電極部１０６の脚部電極端子面とをそれぞれ垂直方向から見た図である。筐体電極部１０５に搭載する筐体電極端子は、図７（ａ）に示すように、５個であってもよいし、図９（ａ）に示すように、６個であってもよく、決まった個数を定めるものではない。また、図７（ｂ）および図９（ｂ）に示すように、脚部電極部に搭載する脚部電極端子の設置位置は、筐体電極部１０５に搭載する筐体電極端子数に依存する。なお、図７に示す例のように、筐体電極部１０５に搭載する筐体電極端子が５個の例における脚部電極端子と筐体電極端子との接触パターンは、前述の通り例えば、「１１ａ＝１２ａ，１１ｂ＝１２ｄ」、「１１ａ＝１２ｂ，１１ｂ＝１２ｅ」、「１１ａ＝１２ｃ，１１ｂ＝１２ａ」、「１１ａ＝１２ｄ，１１ｂ＝１２ｂ」、「１１ａ＝１２ｅ，１１ｂ＝１２ｃ」となる。また、図９に示す例のように、筐体電極部１０５に搭載する筐体電極端子が６個の例における脚部電極端子と筐体電極端子の接触パターンは、「１１ａ＝１２ａ，１１ｂ＝１２ｅ」、「１１ａ＝１２ｂ，１１ｂ＝１２ｆ」、「１１ａ＝１２ｃ，１１ｂ＝１２ａ」、「１１ａ＝１２ｄ，１１ｂ＝１２ｂ」、「１１ａ＝１２ｅ，１１ｂ＝１２ｃ」「１１ａ＝１２ｆ，１１ｂ＝１２ｄ」となる。
【００２７】
次に、通電電極判定部１０７は、筐体電極部１０５の筐体電極端子のうちどの端子が通電状態であるかを判定する（Ｓ１０４）。具体的な判定の方法としては、例えば、図８に示すように、筐体電極部１０５の筐体電極端子数が５個であった場合、１２ａ、１２ｂ、１２ｃ、１２ｄ、１２ｅの順に入電動作を行う。すると、筐体電極部１０５の各筐体電極端子１２ａ、１２ｂ、１２ｃ、１２ｄ、１２ｅのいずれかに接している脚部電極部１０６の脚部電極端子１１ａまたは１１ｂから脚部電極部１０６側に電流が到達する。ここでは、脚部電極部１０６の脚部電極端子１１ａから脚部電極部１０６側に電流が到達したものとする。次いで、通電を確認した脚部電極端子１１ａではない側である脚部電極端子１１ｂと接している筐体電極部１０５のいずれかの筐体電極端子への脚部電極部１０６側からの入電を確認する。この場合の通電パターンは、前記の通り、例えば、「１１ａ＝１２ａ，１１ｂ＝１２ｄ」、「１１ａ＝１２ｂ，１１ｂ＝１２ｅ」、「１１ａ＝１２ｃ，１１ｂ＝１２ａ」、「１１ａ＝１２ｄ，１１ｂ＝１２ｂ」、「１１ａ＝１２ｅ，１１ｂ＝１２ｃ」となる。この通電パターンより、通電した脚部電極端子と筐体電極端子との組み合わせを特定することにより通電電極情報とする。例えば、図７に示す例の場合、脚部電極部１０６の脚部電極端子１１ａと接するのが筐体電極部１０５の筐体電極端子１２ａとなり、脚部電極部１０６の脚部電極端子１１ｂと接するのが筐体電極部１０５の筐体電極端子１２ｄとなるため、通電電極情報は「１１ａ＝１２ａ，１１ｂ＝１２ｄ」となる。
【００２８】
次に、通電電極判定部１０７は、今回の通電電極情報と、メモリ部１０４に記録されている前回通電時の通電電極情報とを比較する（Ｓ１０５）。通電電極情報は、例えば、表１に示すように、前回の動作設定値とともにリスト化されてメモリ部１０４に記録されている。このリストの通電電極端子項目に記録された値と前記通電電極情報の値とを比較する。
【００２９】
通電電極判定部１０７における通電電極情報の比較の結果、同一の値を示した場合、設定選択部は前回設定で動作を開始する選択を行う（Ｓ１０６）。具体的に述べると、例えば、前回設定値および通電電極端子の値として、表１に示す値を記録しており、前記通電電極情報が「１１ａ＝１２ｂ，１１ｂ＝１２ｅ」であったとする。この場合、筐体の移動が無かったと判断し、前回設定のまま、フォーカス設定値「２ｍ」、台形補正値「上向き７度」、入力端子「ビデオ１端子」の設定で動作を開始する。
【００３０】
通電電極判定部１０７における通電電極情報の比較の結果、異なる値を示した場合、設定選択部は初期設定での動作を開始する選択を行う（Ｓ１０７）。具体的に述べると、例えば、前回設定値および通電電極端子の値として、表１に示す値「１１ａ＝１２ｂ，１１ｂ＝１２ｅ」を記録しており、今回の通電電極情報が「１１ａ＝１２ａ，１１ｂ＝１２ｄ」であったとする。この場合、筐体の移動があったと判断し、前回設定をリセットし初期設定値での動作を開始する。
【００３１】
最後に、動作開始後に設定選択部１０８は、現在の設定をリスト化し、メモリ部１０４に記録する（Ｓ１０８）。具体的に述べると、例えば、前回設定値が表１に示す値であり、前記通電電極情報が「１１ａ＝１２ａ，１１ｂ＝１２ｄ」であったため筐体の移動が確認された場合、動作開始後の最終設定値をリスト化する。この際、例えば、動作開始後の各設定値が、フォーカス設定値「１ｍ」、台形補正値「上向き３度」、入力チャンネル「ビデオ２端子」であり、前記通電電極情報は「１１ａ＝１２ａ，１１ｂ＝１２ｄ」である場合、表２のように値が書き換えられる。これにより、次回通電時との通電電極端子の比較が可能となる。
【表１】
2012088541.tif 000003
【表２】
2012088541.tif 000004
【００３２】
実施例のプロジェクタ装置によれば、プロジェクタ装置の筐体部１に設けた脚部収納部１２に筐体電極部１０５を設けると共に脚部１１に脚部電極部１０６を設けることで、プロジェクタ装置の物理的移動の有無を検知することができる。また、プロジェクタ装置の物理的移動の検知に、バッテリや加速度センサの搭載を必要としないので、低コストでの移動検知を実現できる。
【符号の説明】
【００３３】
１…筐体部
１１…脚部
１１ａ、１１ｂ…脚部電極端子
１２…脚部収納部
１２ａ、１２ｂ、１２ｃ、１２ｄ、１２ｅ、１２ｆ…筐体電極端子
１０１…電源部
１０２…制御部
１０３…電源スイッチ部
１０４…メモリ部
１０５…筐体電極部
１０６…脚部電極部
１０７…通電電極判定部
１０８…設定選択部
ａ…スプリング
ｂ…ガイド
ｃ…ガイドレール
ｍ…ガイドレールの上側限界位置
ｎ…ガイドレールの下側限界位置
ｏ、ｐ、ｑ、ｒ、ｘ、ｙ…ガイドレール中の一地点
ｓ…ガイドレール中の開放型仕切り弁
【図１】
2012088541.tif 000005
【図２】
2012088541.tif 000006
【図３】
2012088541.tif 000007
【図４】
2012088541.tif 000008
【図５】
2012088541.tif 000009
【図６】
2012088541.tif 000010
【図７】
2012088541.tif 000011
【図８】
2012088541.tif 000012
【図９】
2012088541.tif 000013
【図１０】
2012088541.tif 000014